(57)【要約】【課題】部品点数および製造工数を削減し製造コストを低減するとともに、床パネルのがたつき、浮き上がり、さらには隣接するパネル間の隙間内の視認、ゴミ等の侵入を防止するようにした床パネルの取付構造を提供する。【解決手段】大引き２上に複数本の床盤用レール４を並設する。床盤用レール４の上面には２つの突条体１２が一体に突設されている。各床パネル５の下面両側端にリブ１５をそれぞれ一体に突設し、これらのリブ１５の内部を前記突条体１２が嵌合する嵌合凹部１７とする。また、嵌合凹部１７の内壁面に突条体１２の抜けを防止する抜け防止用突起１８を一体に突設する。さらに、各パネル５の側面に嵌合凸部２１と嵌合凹部２４を設け、隣り合う床パネル５の嵌合凸部と嵌合凹部を互いに嵌合させる。【選択図】　　　　図４
2004092380.tif 000002
【特許請求の範囲】
【請求項１】
床パネルに設けた嵌合凹部と床盤用レールの上面に突設した突条体を嵌合することにより、前記床パネルを前記床盤用レールに取付けるようにした床パネルの取付構造において、
前記嵌合凹部の内壁面に前記突条体の抜けを防止する抜け防止用突起を一体に突設したことを特徴とする床パネルの取付構造。
【請求項２】
請求項１記載の床パネルの取付構造において、
前記床パネルが合成樹脂の一体成形品、コンクリート、自然石のうちのいずれか１つであることを特徴とする床パネルの取付構造。
【請求項３】
請求項１または２記載の床パネルの取付構造において、
床パネルの隣り合う２つの側面の上部に嵌合凸部を一体に突設し、残り２つの側面の上部には前記嵌合凸部と同形の嵌合凹部を形成したことを特徴とする床パネルの取付構造。
【請求項４】
請求項１，２または３記載の床パネルの取付構造において、
床パネルの下面で床盤用レールと平行な側端に、下方に開放する断面コ字状のリブを前記側端の全長にわたって一体に突設し、このリブの内部を前記床盤用レールの突条体が嵌合する嵌合凹部としたことを特徴とする床パネルの取付構造。
【発明の詳細な説明】
【０００１】
【発明の属する技術分野】
本発明は、床パネルの取付構造に関する。
【０００２】
【従来の技術】
コンビニエンスストア、カーディーラーのショールーム、フランチャイズ店、ファミリーレストラン等の建築物は、土間コンクリートが主流をなしている。
【０００３】
しかしながら、土間コンクリートは再利用ができない。そこで、再利用可能な床パネルの取付構造としては、嵌合部どうしの嵌合によって取付けるようにしたものが知られている（例えば、特許文献１参照）。なお、出願人は本明細書に記載した先行技術文献情報で特定される先行技術文献以外には、本発明に密接に関連する先行技術文献を出願時までに見つけ出すことはできなかった。
【０００４】
【特許文献１】
特開平５−３０２３９０号公報
【０００５】
上記特開平５−３０２３９０号公報に記載されている建築板材取付構造は、建築下地に固定される取付具の上面に一対の嵌合受け条部を並設し、隣接する建築板材の両端部の下面に下方に開放する断面略コ字状の長尺型材を埋設固定し、この長尺型材の内部を溝状の嵌合条部とし、この嵌合条部を前記嵌合受け条部に着脱自在に嵌着することにより、建築板材を前記取付具に固定するようにしている。また、長尺型材の下面開口部に内方に湾曲突出した突条体を全長にわたって一体に突設し、これによって嵌合受け条部からの建築板材の浮き上がりや離脱を防止している。
【０００６】
【発明が解決しようとする課題】
しかしながら、上記した従来技術による建築板材取付構造は、押出成形によって合成樹脂製の長尺型材を製作して建築板材の下面に埋設するようにしているため建築板材の部品点数および製造工数が多く、製造コストが嵩むという問題があった。
【０００７】
本発明は上記した従来の問題を解決するためになされたもので、その目的とするところは、部品点数および製造工数を削減し製造コストを低減するとともに、床パネルの遊動、浮き上がりを防止し、また必要に応じて隣接するパネル間の隙間内の視認、ゴミ等の侵入を防止し得るようにした床パネルの取付構造を提供することにある。
【０００８】
【課題を解決するための手段】
上記目的を達成するために第１の発明は、床パネルに設けた嵌合凹部と床盤用レールの上面に突設した突条体を嵌合することにより、前記床パネルを前記床盤用レールに取付けるようにした床パネルの取付構造において、前記嵌合凹部の内壁面に前記突条体の抜けを防止する抜け防止用突起を一体に突設したものである。
【０００９】
第１の発明においては、抜け防止用突起を床パネルに一体に突設しているので、別部材からなる突起を製作して床パネルに組込む必要がない。したがって、組込み忘れ等の検査態勢も必要ない。
【００１０】
第２の発明は、上記第１の発明において、前記床パネルを合成樹脂の一体成形品、コンクリート、自然石のうちのいずれか１つで構成したものである。
【００１１】
第２の発明においては、床パネルが合成樹脂製の一体成形品の場合は安価であり、コンクリートまたは自然石の場合は強度が高く撓みが少ない。
【００１２】
第３の発明は、上記第１または第２の発明において、床パネルの隣り合う２つの側面の上部に嵌合凸部を一体に突設し、残り２つの側面の上部には前記嵌合凸部と同形の嵌合凹部を形成したものである。
【００１３】
第３の発明においては、嵌合凸部と嵌合凹部との嵌合によって隣接する床パネルどうしの隙間を覆うため、隙間内が視認されたりゴミ等が侵入するのを防止することができる。
【００１４】
第４の発明は、上記第１，第２または第３の発明において、床パネルの下面で床盤用レールと平行な側端に、下方に開放する断面コ字状のリブを前記側端の全長にわたって一体に突設し、このリブの内部を前記床盤用レールの突条体が嵌合する嵌合凹部としたものである。
【００１５】
第４の発明においては、リブが突条体と嵌合凹部の嵌合によって床盤用レール上に固定される。
【００１６】
【発明の実施の形態】
以下、本発明を図面に示す実施の形態に基づいて詳細に説明する。
図１は本発明に係る床パネルの取付構造の一実施の形態を示す斜視図、図２は同じく床パネルの取付構造を示す断面図、図３（ａ）、（ｂ）、（ｃ）は同じく床パネルの底面図、ａ−ａ線断面図、およびｂ−ｂ線断面図、図４（ａ）、（ｂ）は要部の拡大断面図および床パネルの斜視図である。
【００１７】
これらの図において、１は建築下地としての土間、２は大引き、４は床盤用レール、５は床パネル、６はレベル調整用ボルトである。前記大引き２は、Ｈ形鋼からなり、前記土間１上にレベル調整用ボルト６によって高さ調整可能に固定されている。
【００１８】
前記床盤用レール４はアルミニウムの押出形材からなり、底板部１０と、底板部１０の上面中央に全長にわたって一体に突設された断面矩形の設置台１１と、この設置台１１の上面に全長にわたって一体に、かつ平行に突設された２つの突条体１２，１２とを備え、ボルト１３によって前記大引き２上に架設されている。突条体１２は、板部１２Ａと、この板部１２Ａの上端に一体に設けられた断面円形の頭部１２Ｂとで構成されている。このような床盤用レール４は、前記床パネル５の幅寸法と同一の間隔をおいて大引き２上にこれと直交するように並設されている。
【００１９】
前記床パネル５は、射出成形によって一体成形された合成樹脂製のパネルからなり、平面視形状が略正方形で上面が平滑面に形成され、裏面の幅方向両端にリブ１５，１５がそれぞれ全長にわたって一体に突設され、これらのリブ１５，１５間には格子状の補強用リブ１６が同じく一体に突設されている。リブ１５は、下面に開放する断面コ字状の突条体からなり、内部空間が前記突条体１２と着脱可能に嵌合する嵌合凹部１７を形成している。また、この嵌合凹部１７の互いに対向する内壁面には、前記突条体１２の抜けを防止する抜け防止用突起１８が全長にわたってそれぞれ一体に突設されている。抜け防止用突起１８は、断面形状が半円形で突出寸法が０．５ｍｍ程度の突条体からなり、互いに対向する突起１８，１８間の間隔が前記突条体１２の頭部１２Ｂの外径より若干狭く設定されている。なお、抜け防止用突起１８は成形時のアンダーカット部分となるが、スライドコアを使用することで形成することができる。
【００２０】
このような床パネル５は、隣り合う床パネル間の隙間Ｇ（図４）を覆う必要がある。すなわち、床パネル５を床盤用レール４上に設置する際、突条体１２を嵌合凹部１７に嵌合するとき、頭部１２ｂが抜け防止用突起１８を押圧しリブ１５を外側に弾性変形させるため、この弾性変形を可能にするための隙間Ｇを隣り合う床パネル間に設ける必要がある。しかしながら、このような隙間Ｇがあると、この隙間Ｇから床盤用レール４が視認されたり、小さなゴミ等が隙間Ｇに侵入するおそれがある。そこで、図３および図４に示すように床パネル５（５Ａ，５Ｂ）の４つの側面２０のうち隣り合う２つの側面に嵌合凸部２１を一体に突設し、残り２つの隣り合う側面には嵌合凹部２４を前記嵌合凸部２１に対応して形成し、隣り合う床パネル５Ａと５Ｂの前記嵌合凸部２１と嵌合凹部２４とを互いに嵌合させることにより、前記隙間Ｇを覆い、床盤用レール４が視認されたり、嵌合凸部２１と嵌合凹部２４との嵌合部より下方の隙間Ｇにゴミ等が侵入しないようにしている。
【００２１】
ここで、本実施の形態においては、嵌合凸部２１と嵌合凹部２４を床パネル５Ａ，５Ｂの上面より下方に設けた例を示したが、これに限らず図５（ａ）、（ｂ）に示すように上面と側面との接合部に設けられるものであってもよい。また、上面に露呈する場合は、嵌合凸部２１と嵌合凹部２４の断面形状を矩形とし、床パネル５Ａ，５Ｂの上面と嵌合凸部２１の上面を同一平面になるようにすることが好ましい。要は、隣り合う床パネル５Ａ，５Ｂ間の隙間Ｇを覆いゴミ等が隙間Ｇに侵入したり、床盤用レール４が視認されないようにすることができるものであればよい。
【００２２】
次ぎに、床パネルの施工作業について説明する。
床パネル５の施工は、隣り合う床パネル５Ａ，５Ｂの嵌合凸部２１と嵌合凹部２４が互いに嵌合するように向きを揃えて設置台１１上に順次設置していく。このとき、各床パネル５Ａ，５Ｂのリブ１５を床盤用レール４の設置台１１に載置し、設置台１１側の突条体１２を前記リブ１５の嵌合凹部１７に嵌合する。突条体１２を嵌合凹部１７に嵌合すると、突条体１２の頭部１２Ｂは、左右の抜け防止用突起１８，１８を押圧してリブ１５を外側に弾性変形させることで抜け防止用突起１８，１８の上方にまで挿入され、これらの抜け防止用突起１８，１８が突条体１２の頸部である板部１２Ａと頭部１２Ｂとの接合部に係合することにより、突条体１２の嵌合凹部１７からの抜けを防止し、もって床パネル５Ａ，５Ｂが床盤用レール４上に固定される。このようにして全ての床パネル５を床盤用レール４上に固定すると、合成樹脂製の床盤が施工される。
【００２３】
このような構造からなる床パネルの取付構造においては、床パネル５を合成樹脂製の一体成形品とし、下面両側端に一体に突設したリブ１５の内部空間を嵌合凹部１７とし、その内壁面に床盤用レール４の突条体１２の抜けを防止する抜け防止用突起１８を一体に突設しているので、突起１８を別部材によって製作して床パネル５に組込む必要がなく、床パネル５の製作が容易で、部品点数を削減することができる。
【００２４】
また、突条体１２と嵌合凹部１７の嵌合によって床パネル５の遊動、浮き上がりを確実に防止することができる。
【００２５】
さらに、各床パネル５の側面に嵌合凸部２１と嵌合凹部２４を設けているので、隣接する床パネル５どうしの嵌合凸部２１と嵌合凹部２４とを互いに嵌合させることにより、パネル間の隙間Ｇを覆うことができ、隙間Ｇから床盤用レール４が視認されたり、ゴミ等が侵入するのを防止することができる。
【００２６】
図６は本発明のさらに他の実施の形態を示す要部の平面図、図７は図６のＶＩＩ　−ＶＩＩ　線断面図、図８（ａ）、（ｂ）はパネル固定用部材の要部の正面図および底面図である。上記した実施の形態と同一構成部材のものについては同一符号をもって示す。
これらの図において、本実施の形態はコンクリートまたは大理石等の自然石からなる床パネル３０を用いて床盤を施工したものである。床パネル３０は、４５０（長さ）ｍｍ×４５０（幅）ｍｍ×２２（厚さ）ｍｍの正方形で、上縁が４５°の角度で面取りされ、裏面の四隅部に埋設したパネル固定用部材３１を介して床盤レール４上に固定されている。
【００２７】
前記床盤レール４は、アルミニウム等の押出形材からなる断面形状が矩形の根太材３２と、この根太材３２を大引き２上に固定する複数個のブラケット３３と、根太材３２とブラケット３３を連結する複数本の連結ボルト３４と、ブラケット３３を大引き２に固定するボルト３５と、根太材３２の上面にビス止めされたパネル用レール３６等で構成されている。
【００２８】
前記パネル固定用部材３１は合成樹脂の成形品によって円筒状に形成され、下端部が床パネル３０の下方に突出しており、その突出寸法は８ｍｍ程度である。パネル固定用部材３１の下面には中心を通る直線状の嵌合溝３７が形成されてその両端がパネル固定用部材３１の下端部外周面に開放しており、また嵌合溝３７の一方の内壁面の下端には抜け防止用突起３８が嵌合溝３７の全長にわたって一体に突設されている。
【００２９】
前記パネル用レール３６は、合成樹脂製で前記根太材３２と同一長さを有し、上面両端部寄りに平行な２条の突条体４０がパネル用レール３６の全長にわたって延在するように一体に突設されている。突条体４０は、上記した突条体１２（図４参照）と同様に断面形状が円形の頭部と、この頭部に続く頸部とからなり、前記パネル固定用部材３１の嵌合溝３７に嵌合すると頸部に前記抜け防止用突起３８が係合し、これによって突条体４０が嵌合溝３７から抜けるのを防止している。なお、本実施の形態では、パネル用レール３６を合成樹脂によって根太材３２とは別個に製作した例を示したが、これに限らず根太材３２と一体に形成されるものであってもよい。
【００３０】
このような構造からなる床盤においては、コンクリートまたは自然石からなる床パネル３０を用いているので、合成樹脂製の床パネルに比べて強度が高く、撓みを防止することができる。床パネル３０の寸法が大きくて撓みが生じるときは、パネル固定用部材３１の数を増加してその間隔を狭くすればよい。例えば、パネル固定用部材３１を６つ用い、そのうち４つを各隅角部に、残り２つをパネル用レール３６と平行な２辺の各中央部にそれぞれ１つずつ設ければよい。また９つ用いる場合は、パネル中央と、各隅角部と、各辺の中央部にぞれぞれ設ければよい。
【００３１】
【発明の効果】
以上説明したように、本発明に係る床パネルの取付構造によれば、床パネルに別部材を設ける必要がなく、したがって、床パネルの構造が簡単でパネルに対する別部材の組込み作業およびその組込み忘れ等の検査態勢等も不要となり、床パネルの製作が容易で製造コストを低減することができる。
また、床パネルの遊動、浮き上がり、隣り合うパネルどうしの隙間から内部が視認されたり、小さなゴミ等が侵入するのを防止することができる。
【図面の簡単な説明】
【図１】本発明に係る床パネルの取付構造の一実施の形態を示す斜視図である。
【図２】同じく床パネルの取付構造を示す断面図である。
【図３】（ａ）、（ｂ）、（ｃ）は同じく床パネルの底面図、ａ−ａ線断面図、およびｂ−ｂ線断面図である。
【図４】（ａ）、（ｂ）は要部の拡大断面図および床パネルの斜視図である。
【図５】（ａ）、（ｂ）は本発明の他の実施の形態を示す要部の拡大断面図および床パネルの斜視図である。
【図６】本発明のさらに他の実施の形態を示す要部の平面図である。
【図７】図６のＶＩＩ　−ＶＩＩ　線断面図である。
【図８】（ａ）、（ｂ）はパネル固定用部材の要部の正面図および底面図である。
【符号の説明】
１…土間、２…大引き、４…床盤用レール、５，５Ａ，５Ｂ…床パネル、６…レベル調整用ボルト、１２…突条体、１２Ａ…板部、１２Ｂ…頭部、１５…リブ、１７…嵌合凹部、１８…抜け防止用突起、２１…嵌合凸部、２４…嵌合凹部、３０…床パネル。
【図１】
2004092380.tif 000003
【図２】
2004092380.tif 000004
【図３】
2004092380.tif 000005
【図４】
2004092380.tif 000006
【図５】
2004092380.tif 000007
【図６】
2004092380.tif 000008
【図７】
2004092380.tif 000009
【図８】
2004092380.tif 000010